(57)【要約】 【課題】簡単な構成で、操作紐に起因する不快音の防止、周辺部への引っ掛かりなどを防止する。【解決手段】窓シャッター１の操作紐１６の吊玉１７、２４、２８に係止部２２、２７、３１を設け、シャッターカーテン７を開放した際に、上昇したシャッターカーテン下端側から垂下する操作紐１６の下端の吊玉を、係止部を介して屋外側に位置する障子１３の竪框１３ａに形成された戸当たりフィン１５に嵌着させる。屋外側に位置する障子１３の竪框１３ａの所定部位に強磁性体からなる固定面３３を設け、シャッターカーテン７を開放した際に、上昇したシャッターカーテン下端側から垂下する操作紐１６の下端の吊玉２４´を、磁石２３を介して固定面３３に磁着させる。【選択図】図１
2007255143.tif 000002
【特許請求の範囲】
【請求項１】
障子によって開閉される窓開口部の屋外側に設置した窓シャッターにおいて、
該窓シャッターは、一端がシャッターカーテン下端側に連結され、他端に吊玉が設けられた操作紐を有し、
前記吊玉に係止部を設け、シャッターカーテンを開放した際に、上昇したシャッターカーテン下端側から垂下する操作紐の下端の吊玉を、該係止部を介して屋外側に位置する障子の竪框に形成された被係止部に嵌着させるようにした、
窓シャッターにおける操作紐の吊玉の固定装置。 
【請求項２】
障子によって開閉される窓開口部の屋外側に設置した窓シャッターにおいて、
該窓シャッターは、一端がシャッターカーテン下端側に連結され、他端に磁石を備えた吊玉が設けられた操作紐を有し、
屋外側に位置する障子の竪框の所定部位に強磁性体からなる固定面を設け、シャッターカーテンを開放した際に、上昇したシャッターカーテン下端側から垂下する操作紐の下端の吊玉を、該磁石を介して前記固定面に磁着させるようにした、
窓シャッターにおける操作紐の吊玉の固定装置。
【請求項３】
請求項１、２いずれかにおいて、前記操作紐は、シャッターカーテンの幅方向略中央部位から垂下しており、前記吊玉が固定される竪框は窓開口部閉鎖時において開口幅方向略中央部位に位置しており、シャッターカーテンの全閉状態において、吊玉を前記竪框に嵌着ないし磁着させるようにした、
窓シャッターにおける操作紐の吊玉の固定装置。
【発明の詳細な説明】
【技術分野】
【０００１】
本発明は、建物の窓開口部に設けられる窓シャッターに係り、詳しくは、窓シャッターにおける操作紐の吊玉の固定装置に関するものである。
【背景技術】
【０００２】
従来、窓開口部に設けられる窓シャッターでは、シャッターケース内の巻取りドラムに巻装されたシャッターカーテンを、その座板に設けた操作用の紐を下方に引き操作することで引き下ろして窓開口部を閉鎖し（特許文献１）、閉鎖状態にあるシャッターカーテンを開放する際には、シャッターカーテンを手動で持ち上げることで、巻取りドラムに内蔵されたバランススプリングの付勢力でバランスされながらシャッターカーテンが上昇して窓開口部を開放する構成となっている。
【０００３】
ところが、シャッターカーテンを開放した場合に、カーテン最下端の座板が窓枠を形成する上枠の位置まで上昇すると、座板に止着した紐が開放された窓開口部内に垂れ下がり、紐に取り付けた把持用の吊玉が風で揺れ動くことで、この吊玉が網戸障子や窓障子等に当接して不快音が発生してしまうことになる。また吊玉を吊した紐が窓開口部の周辺に引っ掛かっていることを知らずに、窓障子やシャッターカーテンの開放、閉鎖の操作を行うと、紐の切断や窓障子、シャッターカーテンの損傷などの不具合を誘発するおそれもある。
【特許文献１】特開２００１−３１１３４１号
【発明の開示】
【発明が解決しようとする課題】
【０００４】
本発明は、簡単な構成で、操作紐に起因する不快音の防止、周辺部への引っ掛かりなどを防止する窓シャッターにおける操作紐の吊玉の固定装置を提供することを目的とする。
【課題を解決するための手段】
【０００５】
本発明が採用した第１の技術手段は、障子によって開閉される窓開口部の屋外側に設置した窓シャッターにおいて、該窓シャッターは、一端がシャッターカーテン下端側に連結され、他端に吊玉が設けられた操作紐を有し、前記吊玉に係止部を設け、シャッターカーテンを開放した際に、上昇したシャッターカーテン下端側から垂下する操作紐の下端の吊玉を、該係止部を介して屋外側に位置する障子の竪框に形成された被係止部に固定させるようにしたものである。係止部の構成は、1つの態様では、吊玉の面部に係止片を設けることで、面部と係止片との間で被係止部を嵌着するものであり、他の態様では、吊玉の本体に係止溝を形成し、当該係止溝に被係止部を嵌着するものである。１つの態様では、被係止部は、戸当たりフィンである。
【０００６】
本発明が採用した第２の技術手段は、障子によって開閉される窓開口部の屋外側に設置した窓シャッターにおいて、該窓シャッターは、一端がシャッターカーテン下端側に連結され、他端に磁石を備えた吊玉が設けられた操作紐を有し、屋外側に位置する障子の竪框の所定部位に強磁性体からなる固定面を設け、シャッターカーテンを開放した際に、上昇したシャッターカーテン下端側から垂下する操作紐の下端の吊玉を、該磁石を介して前記固定面に固定させるようにしたものである。
【０００７】
第１の技術手段では、障子の竪框が予め戸当たりフィンを有する場合には、戸当たりフィンが被係止部を構成するので、より少ない部品点数で固定装置を構成することができる。第２の技術手段では、吊玉が予め磁石を備えている場合には、より少ない部品点数で固定装置を構成することができる。第１、第２の技術手段において、吊玉が固定される竪框は、1つの態様では、網戸障子の竪框であり、他の態様では、窓障子の竪框である。
【０００８】
本発明の他の態様では、前記操作紐は、シャッターカーテンの幅方向略中央部位から垂下しており、前記吊玉が固定される竪框は窓開口部閉鎖時において開口幅方向略中央部位に位置しており、シャッターカーテンの全閉状態において、吊玉を前記竪框に嵌着ないし磁着させるようにしている。
【発明の効果】
【０００９】
本発明によれば、より少ない部品点数で固定装置を構成することができ、窓シャッターの操作紐の吊玉を障子の屋外側に固定することができ、風によって操作紐が揺れ動いて吊玉が障子に当接することによる不快音の発生を防止できる。また、操作紐を適度な緊張状態に保持するように吊玉を固定することで、シャッターカーテンを開放した窓開口部において、その周辺部位に吊玉や操作紐が引っ掛かることもない。
【００１０】
屋外側に位置する障子の竪框に固定された吊玉は、竪框の屋外側の面よりもさらに屋外側に突出することになる。したがって、操作紐は、シャッターカーテンの幅方向略中央部位から垂下しており、吊玉が固定される竪框は開口部閉鎖時において開口幅方向略中央部位に位置しているものにおいて、シャッターカーテンの全閉状態において、吊玉を前記竪框に固定させることで、当該吊玉をシャッターカーテンと障子との当接を緩和する緩衝材として機能させることができる。
【発明を実施するための最良の形態】
【００１１】
本発明の実施形態を図面に基づいて詳細に説明する。図１は本発明の操作紐の固定装置を採用した窓シャッターの室外側から見た正面図、図２は横断面図であり、窓シャッター１は、上枠２、下枠３および左右の縦枠４、４からなる窓枠５の屋外側に配設されており、上枠２の上部に配設したシャッターケース６内のシャッターカーテン７が、左右位置で離間対向状に立設したガイドレール８、８に案内されて昇降することにより、窓開口部９を開放、閉鎖するように構成されている。図１において、参照番号１０はシャッターカーテン７の下端の座板である。
【００１２】
窓枠５には、引き違い構成の窓障子１１、１２が左右方向に移動自在に設けてあり、さらに、屋外側に位置する窓障子１２の屋外側には網戸障子１３が左右方向に移動自在に設けてある。図２は窓障子１１、１２による窓開口部９の閉鎖時を示しており、屋内側の窓障子１１の戸尻側の竪框11ａと、屋外側の窓障子１２の戸尻側の竪框１２ａが内外に重なり合うことで召し合わせ部となっている。屋外側の窓障子１２の屋外側には、網戸障子１３が位置しており、網戸障子１３の一方の竪框13ａは、窓障子１２の戸尻側の竪框12ａに重なり合うことで召し合わせ部となっている。これらの召し合わせ部、すなわち、窓開口部９の閉鎖時における竪框１１ａ、１２ａ、１３ａは、窓開口部９の幅方向の略中央部に位置している。
【００１３】
網戸障子１３の各竪框１３ａ、１３ａには、対向状の戸当たりフィン１５、１５が高さ方向に亘って延出形成されており、網戸障子１３が一方の縦枠４に当接した際に、戸当たりフィン１５，１５間に窓枠５側の縦枠４、４に形成した突片１４、１４を呑み込むようになっている。戸当たりフィン１５は、後述する吊玉１７の係止部２２を固定する片として機能するようになっている。
【００１４】
シャッターカーテン７の下端に設けられた座板１０の長さ方向の略中央部には操作紐１６の一端が連結されており、その他端には吊玉１７が設けてある。操作紐１６の引き操作で全開状態からシャッターカーテン７を降下させて開口部の閉鎖を行うようになっている。尚、操作紐１６の一端を、座板に代えて、シャッターカーテン下端側に設けた施錠装置のレバーに連結するものであってもよい（特開２００２−２９５１５４号公報参照）。
【００１５】
吊玉１７は、図３（ｃ）〜（ｆ）に示すように、四隅を面取りした樹脂製本体１８の中央に、操作紐１６を挿通して端末抜け止め処理１９が施されている。面部２０には、互いに離間する方向に当該面部２０と平行して延出する係止片２２が一体形成されている。係止片２２は面部２０に対して僅かに拡開可能なような弾性を備えており、係止片２２と面部２０との間にフィン１５を嵌着することができる。また面部２１には磁石２３が埋設されており、シャッターカーテン７が降下した状態で、磁石２３をシャッターカーテン７のスラットに磁着させることで、操作紐１６が床面に接触することを防止する。
【００１６】
本発明に係る窓シャッターにおいて、窓開口部９を閉鎖するシャッターカーテン７を開放する場合には、手動でシャッターカーテン７を上昇させると、シャッターケース６内の図示しない巻取りドラムを巻き取り方向に付勢するバランススプリング（図示せず）の巻き取り付勢力にバランスされながら、シャッターカーテン７が上昇して窓開口部９を全開状態に開放し、シャッターカーテン７の下端に設けた座板１０が、図１に示すように、窓開口部９上方に移動し、座板１０に連結した操作紐１６が窓開口部９内に垂下することになる。
【００１７】
そして、このような窓開口部９の全開状態で、図３（ａ）（ｂ）に示すように、操作紐１６の他端に設けた吊玉１７の係止片２２を、操作紐１６が適度な緊張状態を保持するように、網戸障子１３の竪框１３ａに形成された戸当たりフィン１５に係止すれば、操作紐１６が風で揺れて吊玉１７が窓障子１１、１２や網戸障子１３に当接することを防止することができる。
【００１８】
図４（ａ）（ｂ）は、それぞれ係止部を備えた吊玉の他の態様を示すものである。同図（ａ）に示す吊玉２４は、中央に操作紐１６を挿通して係止した樹脂製の本体２５の短辺側の側面２６、２６に係止溝２７、２７を形成して係止部としている。同図（ｂ）に示す吊玉２８は、中央に操作紐１６を挿通して係止した樹脂製の本体２９の長辺側の側面（底面）３０に係止溝３１を形成して係止部としている。本体２５に係止溝２７、３１を形成するものは、本体２５に設けた係止片２２に比べて、破損のおそれがなく、また、吊玉を握った時のフィット感も良好である。
【００１９】
窓開口部９の全開状態で、図５（ａ）（ｂ）に示すように、操作紐１６の他端に設けた吊玉２４、２８の係止溝２７、３１を、操作紐１６が適度な緊張状態を保持するように、網戸障子１３の竪框１３ａに設けた戸当たりフィン１５に嵌着すれば、操作紐１６が風で揺れて吊玉２４、２８が窓障子１１、１２や網戸障子１３に当接することを防止することができる。
【００２０】
図６、図７は本発明の他の実施形態を示すものである。本実施形態では、網戸障子１３´の竪框１３´ａの所定部位に鉄板部材３２を配設して固定面３３を形成し、固定面３３に吊玉２４´の面部２１に埋設した磁石２３を介して磁着して吊玉２４´を竪框１３´ａに固定する構成となっている。鉄板部材３２を配置する位置は、好ましくは、シャッターカーテン７を上昇させて操作紐１６が垂下した状態で、操作紐１６の下端の吊玉２４´の磁石２３を当該鉄板部材３２に磁着させた時に、操作紐１６が適度な緊張状態を保持するような位置である。鉄板部材３２の装着の構成は限定されないが、薄肉の鉄板部材３２を竪框１３´ａの所定部位の表面に貼り付ける態様、鉄板部材３２を竪框１３´ａの内部に所定部位に位置して貼り付ける態様が例示される。
【００２１】
窓開口部９の全開状態で、図７（ｂ）に示すように、操作紐１６の他端に設けた吊玉２４´の面部２１の磁石２３を、操作紐１６が適度な緊張状態を保持するように、網戸障子１３の竪框１３ａに設けた鉄板部材３２に磁着すれば、操作紐１６が風で揺れて吊玉２４´が窓障子１１、１２や網戸障子１３に当接することを防止することができる。
【００２２】
図７に示す態様では、吊玉２４´の短辺側の側面２６、２６に形成した係止溝２７、２７の戸当たりフィン１５への固定と、当該磁石２３による固定面３３への固定とを選択的に行えるようになっており、吊玉２４´の固定装置として自由度の高い対応が可能となっている。
【００２３】
上述の実施形態では、網戸障子の竪框に吊玉を固定する構成を示したが、屋外側の窓障子を用いて本発明を具現化することも可能である。また、図２、図５、図７から明らかなように、屋外側に位置する障子の竪框に固定された吊玉は、竪框の屋外側の面よりもさらに屋外側に突出することになる。したがって、操作紐は、シャッターカーテンの幅方向略中央部位から垂下しており、吊玉が固定される竪框は開口部閉鎖時において開口幅方向略中央部位に位置しているものにおいて、シャッターカーテンの全閉状態において、吊玉を前記竪框に固定させることで、シャッターカーテンが風圧で屋内側に撓んで障子に当接したような場合に、当該吊玉をシャッターカーテンと障子との当接を緩和する緩衝材として機能させることができる。この場合、吊玉は、ゴム等の弾性部材から構成したり、あるいは、吊玉の外面（吊玉を固定した時に屋外側に面する部位）にゴム等の弾性部材を設けること、が望ましい。窓シャッターにおけるシャッターカーテンと障子との当接緩和構造自体については、特開平１１−２２３４２号を参照することができる。
【産業上の利用可能性】
【００２４】
本発明は、窓シャッターに利用することが可能である。 
【図面の簡単な説明】
【００２５】
【図１】室外側から見た本発明の固定装置を採用した窓シャッターの正面図である。
【図２】本発明の固定装置を採用した窓シャッターの横断面図である。
【図３】（ａ）および（ｂ）は吊玉の装着状態を示す作用説明図、（ｃ）〜（ｆ）はそれぞれ吊玉の正面図、右側面図、裏面図、平面図である。
【図４】（ａ）（ｂ）はそれぞれ他の構成の吊玉を示す斜視図である。
【図５】（ａ）（ｂ）はそれぞれ他の構成の吊玉を装着した場合を示す斜視図である。
【図６】他の構成の固定装置を採用した窓シャッターの正面図である。
【図７】（ａ）および（ｂ）は他の構成の固定装置を採用した窓シャッターの吊玉の斜視図、および吊玉の装着状態を示す斜視図である。
【符号の説明】
【００２６】
７  シャッターカーテン
１１、１２  窓障子
１３  １３´  網戸障子
１３ａ、１３´ａ  竪框
１６      操作紐 
１７、２４、２４´、２８    吊玉
２２  係止片
２７、３１    係止溝
２３  磁石
３２  鉄板部材
３３  固定面
【図１】
2007255143.tif 000003
【図２】
2007255143.tif 000004
【図３】
2007255143.tif 000005
【図４】
2007255143.tif 000006
【図５】
2007255143.tif 000007
【図６】
2007255143.tif 000008
【図７】
2007255143.tif 000009